(57)【要約】【課題】  簡単な構成により、スピーカの組立工程の簡略化およびコストダウンを図ることができる薄型テレビジョンを提供することを目的とする。【解決手段】画像表示部３およびスピーカ４を内部に収納するキャビネット２を備え、キャビネット２は、フロントキャビネット２１と、リアキャビネット２２とから形成された薄型テレビジョン１において、スピーカ４は、位置決め孔４２ａが設けられたスピーカフレーム４２を有し、フロントキャビネット２１の内面には、スピーカフレーム４２の位置決め孔４２ａが嵌装する位置決めリブ６が設けられ、リアキャビネット２２の位置決めリブ６に対向する内面には、スピーカフレーム４２に当接し、当該スピーカフレーム４２をフロントキャビネット２１側に押圧する押さえリブ７が設けられ、スピーカ４を、フロントキャビネット２１と、リアキャビネット２２とにより挟持するように構成する。【選択図】図３
2008244933.tif 000002
【特許請求の範囲】
【請求項１】
画像情報を表示する薄型の画像表示部と、スピーカと、これら画像表示部およびスピーカを内部に収納するキャビネットとを備え、前記キャビネットは、フロントキャビネットと、リアキャビネットとから形成され、結合手段によって一体的に結合された薄型テレビジョンにおいて、
前記スピーカは、位置決め孔が設けられたスピーカフレームを有し、前記フロントキャビネットの内面には、前記スピーカフレームの位置決め孔が嵌装される位置決めリブが設けられ、前記リアキャビネットの前記位置決めリブに対向する内面には、前記スピーカフレームに当接し、当該スピーカフレームを前記フロントキャビネット側に押圧する押さえリブが設けられ、前記スピーカを、前記フロントキャビネットと、リアキャビネットとにより挟持するとともに、前記結合手段の少なくとも一部を、前記スピーカが装着された近傍に配設したことを特徴とする薄型テレビジョン。
【請求項２】
画像情報を表示する薄型の画像表示部と、スピーカと、これら画像表示部およびスピーカを内部に収納するキャビネットとを備え、前記キャビネットは、フロントキャビネットと、リアキャビネットとから形成された薄型テレビジョンにおいて、
前記スピーカは、位置決め孔が設けられたスピーカフレームを有し、前記フロントキャビネットの内面には、前記スピーカフレームの位置決め孔が嵌装される位置決めリブが設けられ、前記リアキャビネットの前記位置決めリブに対向する内面には、前記スピーカフレームに当接し、当該スピーカフレームを前記フロントキャビネット側に押圧する押さえリブが設けられ、前記スピーカを、前記フロントキャビネットと、リアキャビネットとにより挟持したことを特徴とする薄型テレビジョン。
【請求項３】
前記押さえリブは、筒状に形成され、前記位置決めリブを囲繞するように構成されていることを特徴とする請求項１または請求項２に記載の薄型テレビジョン。
【請求項４】
前記押さえリブは、棒状に形成されていることを特徴とする請求項１または請求項２に記載の薄型テレビジョン。
【請求項５】
前記位置決めリブは、スピーカ1台当たり、少なくとも左右の上下方向にそれぞれ２つ以上設けられていることを特徴とする請求項１乃至請求項３のいずれかに記載の薄型テレビジョン。
【請求項６】
前記位置決めリブは、先端部が細い円錐形状に形成されていることを特徴とする請求項１乃至請求項３のいずれかに記載の薄型テレビジョン。
【発明の詳細な説明】
【技術分野】
【０００１】
本発明は、例えば、液晶ディスプレやプラズマディスプレなどからなる薄型の画像表示部（フラットディスプレ）を備えた薄型テレビジョンに関し、特に、簡単な構成により、この種薄型テレビジョンのスピーカの組立工程の簡略化およびコストダウンを図るようにしたものである。
【背景技術】
【０００２】
近年、液晶ディスプレやプラズマディスプレなどの薄型化が進み、低価格化および軽量化に伴って、従来のＣＲＴに代わって薄型の画像表示部を備えた薄型テレビジョンが急速に普及しつつある。そして、この種薄型テレビジョンのスピーカの取り付けは、例えば、スピーカフレームをフロントキャビネットの内面に設けられたネジ穴を有するボスに、ネジによって取り付けている。しかしながら、このようなネジを用いた取り付け構造では、スピーカを固定するために、複数本のネジが必要であって、部品点数が増加する傾向にある。また、ネジを締め付けるためには、ドライバなどの工具を必要とし、自ずと組み立て時の作業性が悪く、勢いこの種薄型テレビジョンのコストがアップするなどといった問題があった。
【０００３】
この対策として、従来では、例えば、フロントキャビネットに棒状のリブを設け、この棒状のリブに、円筒の穴を備えた係止部材を嵌合して、スピーカフレームの左右を係止するようにしたものがある(例えば、特許文献１参照）。
【０００４】
また、ドームスピーカの後面に交互に位置をずらして設けたリブの先端間に筐体後面カバーの内面に設けたリブを圧入させることにより、筐体後面カバーに対してドームスピーカを取り付けるようにしたものがある(例えば、特許文献２参照）。更に、前面パネルと、後カバーを組み合わせることにより、スピーカを挟み込み保持するようにしたものがある(例えば、特許文献３参照）。
【特許文献１】特開２０００−３０７９７４号公報
【特許文献２】特開平９−２１９８９５号公報
【特許文献３】実開平４−７８８８８号公報
【発明の開示】
【発明が解決しようとする課題】
【０００５】
しかし、前述の特許文献１記載の構成では、ネジ止めは不要となるが、ネジの替わりに別途、特殊な係止部材を必要とし、部品点数の削減を図ることはできないし、係止作業が必要であることから、作業工程の削減ができないなどいった問題があった。また、特許文献２記載の構成では、ドームスピーカ単体を筐体後面カバーの内面に設けたリブに圧入させたのみであり、極めてその取り付けは不安定である。更に、特許文献３記載の構成では、スピーカ単体をスピーカボックスに保持するようにしたものである。従って、これら特許文献２記載および特許文献３記載に記載のものは、薄型テレビジョンに適用したものではなく、しかも、テレビジョン本体とは、別に組み立てる必要がり、この種薄型テレビジョンの組み立て工程を簡素化することができないなどいった問題があった。
【０００６】
本発明は、上述した問題を解決するためになされたものであり、簡単な構成により、スピーカの組立工程の簡略化およびコストダウンを図ることができる薄型テレビジョンを提供することを目的とする。
【課題を解決するための手段】
【０００７】
かかる目的を達成するため、本発明では、画像情報を表示する薄型の画像表示部と、スピーカと、これら画像表示部およびスピーカを内部に収納するキャビネットとを備え、キャビネットは、フロントキャビネットと、リアキャビネットとから形成され、結合手段によって一体的に結合された薄型テレビジョンにおいて、スピーカは、位置決め孔が設けられたスピーカフレームを有し、フロントキャビネットの内面には、スピーカフレームの位置決め孔が嵌装される位置決めリブが設けられ、リアキャビネットの位置決めリブに対向する内面には、スピーカフレームに当接し、当該スピーカフレームをフロントキャビネット側に押圧する押さえリブが設けられ、スピーカを、フロントキャビネットと、リアキャビネットとにより挟持するとともに、結合手段の少なくとも一部を、スピーカが装着された近傍に配設する。
【０００８】
この構成によれば、スピーカフレームの位置決め孔を、フロントキャビネットの内面に設けられた位置決めリブを嵌装するように装着し、リアキャビネットの位置決めリブに対向する内面に設けられた押さえリブにより、スピーカをフロントキャビネット側に確実に押圧することができる。従って、従来のようにネジや、係止部材を必要としないので、部品点数の削減および組み立て作業の簡略化が図れ、この種薄型テレビジョンのコストダウンを図ることができる。しかも、スピーカが装着された近傍にフロントキャビネットと、リアキャビネットとを一体的に結合する結合手段の少なくとも一部を配設している。この結果、スピーカを、より強固にフロントキャビネットと、リアキャビネットとにより挟持することができ、スピーカのビビリを確実に防止することができ、都合がよい。
【０００９】
また、本発明においては、画像情報を表示する薄型の画像表示部と、スピーカと、これら画像表示部およびスピーカを内部に収納するキャビネットとを備え、キャビネットは、フロントキャビネットと、リアキャビネットとから形成された薄型テレビジョンにおいて、スピーカは、位置決め孔が設けられたスピーカフレームを有し、フロントキャビネットの内面には、スピーカフレームの位置決め孔が嵌装される位置決めリブが設けられ、リアキャビネットの位置決めリブに対向する内面には、スピーカフレームに当接し、当該スピーカフレームをフロントキャビネット側に押圧する押さえリブが設けられ、スピーカを、フロントキャビネットと、リアキャビネットとにより挟持するように構成する。
【００１０】
この構成によれば、スピーカフレームの位置決め孔を、フロントキャビネットの内面に設けられた位置決めリブを嵌装するように装着し、リアキャビネットの位置決めリブに対向する内面に設けられた押さえリブにより、スピーカをフロントキャビネット側に確実に押圧することができる。従って、従来のようにネジや、係止部材を必要としないので、部品点数の削減および組み立て作業の簡略化が図れ、この種薄型テレビジョンのコストダウンを図ることができる。
【００１１】
また、本発明においては、押さえリブは、筒状に形成され、位置決めリブを囲繞するように構成する。この構成によれば、スピーカフレームは、位置決めリブを囲繞する筒状に形成された押さえリブにより、確実に押さえつけられているので、より確実にスピーカ押圧することができ、都合がよい。
【００１２】
また、本発明においては、押さえリブは、棒状に形成されている。この構成によれば、押さえリブの形状が棒状で、極めてシンプルであるので、リアキャビネットを製作する金型を簡素化することができ、都合がよい。
【００１３】
また、本発明においては、位置決めリブは、スピーカ1台当たり、少なくとも左右の上下方向にそれぞれ２つ以上設けられて構成されている。この構成によれば、スピーカ1台当たり、左右の上下方向にそれぞれ２つ以上の位置決めリブが設けられているので、より確実に位置決めすることがで、都合がよい。
【００１４】
更に、本発明においては、位置決めリブは、先端部が細くなるように円錐形状に形成されている。この構成によれば、位置決めリブの先端部が細くなるように円錐形状に形成されているので、スピーカの位置決めが行いやすくなり、都合がいい。
【発明の効果】
【００１５】
本発明によれば、簡単な構成により、スピーカの組立工程の簡略化およびコストダウンを図ることができる薄型テレビジョンを得ることができる。
【発明を実施するための最良の形態】
【００１６】
（第１実施形態）
以下、本発明の一実施形態を図１乃至図７に基づいて説明する。図１は、本発明の一実施形態に係る薄型テレビジョンの概略構成を示す正面図、図２は、図１に示す薄型テレビジョンの斜視図、図３は、図１に示す薄型テレビジョンの要部を示す拡大断面面図である。図４は、図３に示すスピーカの一例の概略構成を示す正面図である。図５は、図３に示す位置決めリブの一例を示す要部拡大図である。図６は、図３に示す押さえリブの一例を示す斜視図である。図７は、スピーカと、位置決めリブおよび押さえリブとの関係を示す図である。
【００１７】
図１に示すように、この薄型テレビジョン１は、例えば、フロントキャビネット２１と、リアキャビネット２２とからなる厚みの薄い略矩形状のキャビネット２内に、外部から受信した映像を表示する薄型の画像表示部である、例えば、液晶ディスプレ３と、音声を発する一対のスピーカ４などが収納されている。液晶ディスプレ３は、キャビネット２に収納された状態で、スタンド本体５により略鉛直に正立され、その正面側のキャビネット２の矩形状の開口２３に、液晶ディスプレ３の表示面である液晶パネル３１が嵌め込まれ、この液晶パネル３１において映像などを表示することが可能となっている。キャビネット２は、フロントキャビネット２１と、リアキャビネット２２とが、例えば、ネジなどからなる結合手段８によって一体的に結合されている。
【００１８】
かかる構成により、使用者は、例えば、薄型テレビジョン１のキャビネット２に設けられた図示しない操作部を操作し、所望のチャンネルに合わせることにより、液晶ディスプレ３の液晶パネル３１に表示される画像を観ることができ、同時にスピーカ４から音声を聴くことができる。
【００１９】
而して、本発明に従い、図４に示すように、スピーカ４は、スピーカ本体４１と、このスピーカ本体４１を支持するためのスピーカフレーム４２とから形成されている。このスピーカフレーム４２には、位置決め孔４２ａが少なくとも左右に設けられている。このスピーカフレーム４２としては、例えば、既存のスピーカフレーム４２を用いる場合には、従来、スピーカフレーム４２を固定するためにネジを装着するための貫通孔を、位置決め孔４２ａとして流用することができる。
【００２０】
また、図３および図７に示すように、フロントキャビネット２１の内面には、スピーカフレーム４２の位置決め孔４２ａが嵌装される位置決めリブ６が、図示する例では、１台のスピーカ４に対して４個設けられている。この位置決めリブ６としては、例えば、図５に示すように、先端部６１が細くなるように円錐形状に形成すると、スピーカ４の位置決めが行いやすくなるので、都合がいい。また、図３に示すように、リアキャビネット２２の位置決めリブ６に対向する内面には、スピーカフレーム４２に当接し、当該スピーカフレーム４２をフロントキャビネット２１側に押圧する押さえリブ７が設けられている。この押さえリブ７としては、例えば、図６に示すように、方形状の筒状であって、位置決めリブ６の外周を囲繞（図７参照）するように形成してある。この構成により、スピーカ４を、フロントキャビネット２１と、リアキャビネット２２とにより挟持するとともに、結合手段８により、これらフロントキャビネット２１と、リアキャビネット２２とが結合されている。この結合手段８の少なくとも一部は、スピーカ４が装着された近傍に配設されている。この結合手段８は、例えば、フロントキャビネット２１に設けられた貫通孔２４を貫挿し、リアキャビネット２２に設けられた固定用ボス２５のネジ穴２５ａに螺合されている。
【００２１】
次に、スピーカ４の組立工程について説明する。この工程は、薄型テレビジョン１を組み立てる際の一部の工程に組み込まれており、例えば、フロントキャビネット２１を作業台の上に、内面側を上向きに置き、液晶ディスプレ３や図示しない回路基板装置などの各種部品を所定の位置に装着する。このとき、スピーカ４は、図３および図７に示すように、フロントキャビネット２１の位置決めリブ６に、スピーカフレーム４２に設けられた位置決め孔４２ａが、嵌装するように装着する。その後、組立工程の最終段階において、リアキャビネット２２を、スピーカ４や各種部品を覆うように装着し、その後、フロントキャビネット２１と、リアキャビネット２２とを結合手段８により結合する。これにより、リアキャビネット２２に形成された押さえリブ７は、位置決めリブ６の外周を囲繞するようにして、スピーカフレーム４２に当接し、従って、スピーカ４は、フロントキャビネット２１と、リアキャビネット２２とにより挟持される。
【００２２】
以上の構成による本実施形態によれば、スピーカフレーム４２の位置決め孔４２ａを、フロントキャビネット２１の内面に設けられた位置決めリブ６を嵌装するように装着する。そして、この位置決めリブ６に対向するように、リアキャビネット２２の内面に設けられた押さえリブ７により、スピーカ４をフロントキャビネット２１側に確実に押圧することができる。従って、従来のようにネジや、係止部材を必要としないので、部品点数の削減および組み立て作業の簡略化が図れ、この種薄型テレビジョンのコストダウンを図ることができる。
【００２３】
また、本実施形態によれば、スピーカ４が装着されている近傍にフロントキャビネット２１と、リアキャビネット２２とを一体的に結合する結合手段２４の少なくとも一部が配設されている。この結果、スピーカ４は、より強固にフロントキャビネット２１と、リアキャビネット２２とにより挟持することができ、スピーカ４のビビリを確実に防止することができ、都合がよい。
【００２４】
また、本実施形態によれば、スピーカフレーム４２は、位置決めリブ６を囲繞する筒状に形成された押さえリブ７により、確実に押さえ付けられているので、より確実にスピーカ４を押圧することができ、都合がよい。
【００２５】
また、本実施形態によれば、スピーカ４一台当たり、左右の上下方向にそれぞれ２つ以上の位置決めリブ６が設けられているので、より確実に位置決めすることがで、都合がよい。
【００２６】
（第２実施形態）
次に、本発明の第２実施形態について図８および図９を参照しながら説明する。図８は、本発明の第２実施形態に係る押さえリブの他の例を示す斜視図、図９は、スピーカと、位置決めリブおよび押さえリブとの関係を示す図である。なお、図８および図９において、上述した図１乃至図７と同じ符号を付した部分は、略同一のものを示すため、ここでは詳細な説明は省略する。以下、上述した第１実施形態との相違点を中心に説明する。
【００２７】
本実施形態では、図８および図９に示すように、リアキャビネット２２の内面に設けられる押さえリブ７を円筒状に形成し、フロントキャビネット２１の内面に設けられた位置決めリブ６一つに対して押さえリブ７を一つ設け、個々に位置決めリブ６を囲繞するように形成したものである。
【００２８】
以上の構成による本実施形態よれば、上述した第１実施形態と同様の作用効果を奏する他、フロントキャビネット２１内面に設けられた位置決めリブ６一つに対して一つの割合で押さえリブ７が形成されている。従って、より確実にスピーカ４を、フロントキャビネット２１と、リアキャビネット２２とにより挟持することができ、スピーカ４のビビリを確実に防止することができ、都合がよい。
【００２９】
（第３実施形態）
次に、本発明の第３実施形態について図１０および図１１を参照しながら説明する。図１０は、本発明の第３実施形態に係る押さえリブの更に他の例を示す斜視図、図１１は、スピーカと、位置決めリブおよび押さえリブとの関係を示す図である。なお、図１０および図１１において、上述した図１乃至図９と同じ符号を付した部分は、略同一のものを示すため、ここでは詳細な説明は省略する。以下、上述した第１実施形態との相違点を中心に説明する。
【００３０】
本実施形態では、図１０および図１１に示すように、リアキャビネット２２の内面に設けられる押さえリブ７を棒状に形成し、フロントキャビネット２１の内面に設けられた位置決めリブ６一つに対して押さえリブ７を二つ設け、位置決めリブ６の左右を押さえつけるように形成したものである。
【００３１】
以上の構成による本実施形態よれば、上述した第１実施形態と同様の作用効果を奏する他、押さえリブ７の形状が棒状で、極めてシンプルであるので、リアキャビネット２２を製作する金型を簡素化することができ、都合がよい。
【００３２】
なお、上述した各実施形態は、本発明の好適な実施例であるが、本発明はこれに限定されるものではなく、本発明の要旨を逸脱しない範囲において、種々変形実施可能である。
【００３３】
例えば、上述した各実施形態では、薄型の画像表示部として液晶ディスプレについて詳述したが、プラズマディスプレなど他の薄型の画像表示機能を備えたものに本発明を適用してもよいのは、勿論である。
【００３４】
また、上述した実施形態では、押さえリブ７の形状として、方形状、円形状、棒状としたが、楕円形状に形成してもよいのは、勿論である。更に、位置決めリブ６および押さえリブ７は、それぞれ合成樹脂からなるフロントキャビネット２１およびリアキャビネット２２を製作する際に、金型などを用いて同時に成型加工により形成すればよいのは、勿論である。
【図面の簡単な説明】
【００３５】
【図１】本発明の一実施形態に係る薄型テレビジョンの概略構成を示す正面図である。
【図２】図１に示す薄型テレビジョンの斜視図である。
【図３】図１に示す薄型テレビジョンの要部を示す拡大断面面図である。
【図４】図３に示すスピーカの一例の概略構成を示す正面図である。
【図５】図３に示す位置決めリブの一例を示す要部拡大図である。
【図６】図３に示す押さえリブの一例を示す斜視図である。
【図７】スピーカと、位置決めリブおよび押さえリブとの関係を示す図である。
【図８】本発明の第２実施形態に係る押さえリブの他の例を示す斜視図である。
【図９】スピーカと、位置決めリブおよび押さえリブとの関係を示す図である。
【図１０】本発明の第３実施形態に係る押さえリブの更に他の例を示す斜視図である。
【図１１】スピーカと、位置決めリブおよび押さえリブとの関係を示す図である。
【符号の説明】
【００３６】
１      薄型テレビジョン
２      キャビネット
２１    フロントキャビネット
２２    リアキャビネット
３      薄型の画像表示部（液晶ディスプレ）
４      スピーカ
４２    スピーカフレーム
４２ａ  位置決め孔
６      位置決めリブ
７      押さえリブ
８      結合手段（ネジ）
【図１】
2008244933.tif 000003
【図２】
2008244933.tif 000004
【図３】
2008244933.tif 000005
【図４】
2008244933.tif 000006
【図５】
2008244933.tif 000007
【図６】
2008244933.tif 000008
【図７】
2008244933.tif 000009
【図８】
2008244933.tif 000010
【図９】
2008244933.tif 000011
【図１０】
2008244933.tif 000012
【図１１】
2008244933.tif 000013